(57)【要約】  【課題】座受け部材の高さが肘掛け装置の内向き水平状部よりも高くても、肘掛け装置を座受け部材に固定できるようにする。  【手段】座受け部材１２は、左右の縦長フレーム３５と前後のステー３６，３７とを有しており、リアステー３７には、ベース９，１０の左右外側にはみ出たサイド支持部３７ａを形成している。肘掛け装置４の肘支柱４０には、内向き水平状部４３が形成されている。内向き水平状部４３の先端部４３ａが、スペーサ４５を介してリアステー３７のサイド支持部３７ａに前後２本のビス４６で固定されている。内向き水平状部４３の基準高さと座受け部材１２の高さとが相違していても、肘掛け装置４を座受け部材１２に問題なく取り付けできる。【選択図】図９
2017086370.tif 000002
【特許請求の範囲】
【請求項１】
脚支柱の上端に設けたベースにて座受け部材を支持し、前記座受け部材に、座が直接に又は座アウターシェルを介して取り付けられていると共に、前記ベースには、背もたれが取り付く背支持フレームを後傾動可能に連結している構成であって、
前記座受け部材に、前記ベースの左右外側に露出したサイド支持部を設けており、前記サイド支持部が、その下面に重ね配置したスペーサを介して肘掛け装置の内向き水平状部を下方から固定可能な肘掛け取り付け部になっている、
椅子。
【請求項２】
前記座受け部材のサイド支持部は、前記肘掛け装置の内向き水平状部と略同じ程度の前後幅になっている一方、
前記座受け部材には前記座アウターシェルが固定されており、前記座アウターシェルに、前記サイド支持部の左右外側において垂下した部分を有する下向き突出部が形成されており、前記スペーサの下面は、前記座アウターシェルにおける下向き突出部の下面と略同じ高さに設定されている、
請求項１に記載した椅子。
【請求項３】
前記サイド支持部に、前記肘掛け装置の内向き水平状部を固定するためのタップ穴が前後方向に並べて複数形成されていると共に、前記スペーサがピンを介して位置決めされる位置決め穴が左右方向に並んで複数形成されている、
請求項１又は２に記載した椅子。
【請求項４】
前記サイド支持部に対する内向き水平状部の取付け位置が左右方向の複数個所に選択可能である、
請求項１〜３のうちのいずれかに記載した椅子。
【請求項５】
脚支柱の上端に設けたベースにて座受け部材を支持し、前記座受け部材に、座が直接に又は座アウターシェルを介して取り付けられていると共に、前記ベースには、背もたれが取り付く背支持フレームを後傾動可能に連結している構成であって、
前記座受け部材に、前記ベースの左右外側に露出したサイド支持部を設けており、前記サイド支持部の下面に、スペーサを介して肘掛け装置の内向き水平状部が固定されている、
椅子。
【請求項６】
脚支柱の上端に設けたベースにて座受け部材を支持し、前記座受け部材に、座が直接に又は座アウターシェルを介して取り付けられていると共に、前記ベースには、背もたれが取り付く背支持フレームを後傾動可能に連結している構成であって、
前記座受け部材に、前記ベースの左右外側に露出して下方に段落ちしたサイド支持部を設けており、前記サイド支持部が、肘掛け装置の内向き水平状部を下方から固定可能な肘掛け取り付け部になっている、
椅子。
【発明の詳細な説明】
【技術分野】
【０００１】
本願発明は椅子に関するものであり、特に、肘掛け装置の取り付け構造に特徴を有するものである。
【背景技術】
【０００２】
椅子において、オプション品として肘掛け装置が使用されている。肘掛け装置は、肘当てを高さ調節できるものと、肘当てを高さ調節できない一体方式のものとに大別できるが、いずれにしても、座の下方に入り込む内向き水平状部を有しており、この内向き水平状部を椅子の本体に固定している。
【０００３】
肘掛け装置の内向き水平状部をどこに取り付けるかは様々である。例えば、座板の下面に取り付ける、脚の上端に固定されたベースに取り付ける、ベースに後傾動自在に連結された背支持フレームに取り付ける、といった手段が採用されている。他方、例えば特許文献１に開示されているように、座を支持する座受け部材の下面に内向き水平状部を取り付けることも行われている。
【先行技術文献】
【特許文献】
【０００４】
【特許文献１】特許第２５０３１８４号公報
【発明の概要】
【発明が解決しようとする課題】
【０００５】
肘掛け装置の内向き水平状部をどこに取り付けるかは、椅子のデザインとの関連で決まるものであるが、ベースや背支持フレームに肘掛け装置の内向き水平状部を取り付けできない場合は、座受け部材は強度に優れているため、肘掛け装置の有望な取り付け対象部材になる。また、ロッキング時に座が背もたれに連動して後傾する椅子では、座受け部材もロッキング時に後傾するため、肘掛け装置を座受け部材に取り付けると、肘掛け装置も座受け部材と一緒に回動するため、着座した人の身体への追従性に優れているという利点もある。
【０００６】
他方、座受け部材は、本来的には座受け部材の取り付けのための部材であるため、何らかの対策を施さないと、肘掛け装置をそのまま取り付けできない場合がある。例えば、座受け部材の周囲が座アウターシェルやカバーなどで囲われる場合などである。
【０００７】
本願発明はこのような現状に鑑み成されたものであり、座受け部材を、肘掛け装置の取り付け対象部材として有効利用せんとするものである。
【課題を解決するための手段】
【０００８】
本願発明の椅子は、脚支柱の上端に設けたベースにて座受け部材を支持し、前記座受け部材に、座が直接に又は座アウターシェル（中間支持体）を介して取り付けられていると共に、前記ベースには、背もたれが取り付く背支持フレームを後傾動可能に連結している、という基本構成である。
【０００９】
そして、請求項１の発明では、上記基本構成において、前記座受け部材に、前記ベースの左右外側に露出したサイド支持部を設けており、前記サイド支持部が、その下面に重ね配置したスペーサを介して肘掛け装置の内向き水平状部を下方から固定可能な肘掛け取り付け部になっている。
【００１０】
請求項２の発明は、請求項１において、前記座受け部材のサイド支持部は、前記肘掛け装置の内向き水平状部と略同じ程度の前後幅になっている一方、前記座受け部材には前記座アウターシェルが固定されており、前記座アウターシェルに、前記サイド支持部の左右外側において垂下した部分を有する下向き突出部が形成されており、前記スペーサの下面は、前記座アウターシェルにおける下向き突出部の下面と略同じ高さに設定されている。
【００１１】
請求項３の発明は、請求項１又は２において、前記サイド支持部に、前記肘掛け装置の内向き水平状部を固定するためのタップ穴が前後方向に並べて複数形成されていると共に、前記スペーサがピンを介して位置決めされる位置決め穴が左右方向に並んで複数形成されている。
【００１２】
請求項４の発明は、請求項１〜３のうちのいずれかにおいて、前記サイド支持部に対する内向き水平状部の取付け位置が左右方向の複数個所に選択可能である。この請求項４において、サイド支持部に対する内向き水平状部の取付け位置を左右複数個所にずらす手段としては、ビスで内向き水平状部とスペーサとをサイド支持部に共締めしている場合であると、内向き水平状部のビス挿通穴を左右に複数設けるか、サイド支持部に設けているタップ穴を左右に複数設けるかしたらよい。
【００１３】
請求項５の発明は、肘掛け装置を備えた椅子であり、上記基本構成において、前記座受け部材に、前記ベースの左右外側に露出したサイド支持部を設けており、前記サイド支持部の下面に、スペーサを介して肘掛け装置の内向き水平状部が固定されている。
【００１４】
請求項６の発明は、上記基本構成において、前記座受け部材に、前記ベースの左右外側に露出して下方に段落ちしたサイド支持部を設けており、前記サイド支持部が、肘掛け装置の内向き水平状部を下方から固定可能な肘掛け取り付け部になっている。
【発明の効果】
【００１５】
さて、肘掛け装置は肘支柱の上端に肘当てを設けた基本構造であり、肘支柱の下端に内向きの内向き水平状部を設けている。高さ調節式の場合は、肘支柱に昇降体が装着されていて、昇降体の上端に肘当てを取り付けている。そして、各メーカーとも、デザインは相違しても肘支柱の高さはおおむね一定に揃えていることが多い。高さ調節式の場合は、昇降体の昇降ストロークを必要寸法だけ確保する必要があるため、肘支柱の高さ（上下長さ）を揃える必要性は一層高くなると云える。
【００１６】
従って、肘掛け装置に設計変更の余地があるといっても、内向き水平状部の高さ位置は変更しにくい。他方、座受け部材は椅子の機能に基づいて設計されるものであり、他の部材との関係で高さ位置も設定される。このため、座受け部材が肘掛け装置の内向き水平状部よりも高くなることがある。この高さの相違に対応する手段としては、内向き水平状部に上向きの凸部を設けることも可能であるが、この場合は、肘支柱の製造が面倒になる問題や、椅子の機種ごとに座受け部材の高さが異なると、それに対応して多くの種類を肘支柱を製造せねばならず、すると、製造コストが嵩むのみならず、部材の管理にも手間が掛かるという問題が生じる。
【００１７】
これに対して本願各発明では、肘掛け装置の内向き水平状部はスペーサを介して又は介することなく座受け部材に固定され得るため、肘掛け装置の内向き水平状部を従来と同様の基準高さを維持しつつ、座受け部材の高さとの乖離を解消することができる。従って、座受け部材を肘掛け装置の取り付け対象として有効利用することができる。また、座受け部材の設計の自由性も確保される。
【００１８】
更に、請求項１のようにスペーサを使用すると、座受け部材の高さが相違する椅子が複数種類ある場合は、肘掛け装置は共通のものを使用して、スペーサだけを各機種ごとに製造したら足りるため、複数種類の椅子を用意するに当たってのコストを抑制できる。他方、請求項６の発明を採用すると、部材が簡単にななる利点がある。なお、請求項６では、肘掛け装置の内向き水平状部は、サイド支持部の下面にビスで固定したらよい。
【００１９】
請求項２では、座アウターシェルにおける下向き突部の下面とスペーサの下面とが揃うため、美観にも優れている。
【００２０】
内向き水平状部を複数本のビスで座受け部材に固定する場合、ビスが左右方向に並んでいると、スペーサの左右横幅も大きくせねばならず、すると、コンパクトさに欠ける可能性がある。これに対して請求項３の構成を採用すると、ビスは前後に並んでいるため、スペーサの左右横幅をできるだけ小さくして、座の下方部をコンパクト化できる。
【００２１】
また、請求項３の発明では、スペーサに設けた左右の位置決めピンを座受け部材の位置決め穴に嵌めることにより、肘当ての取り付け強度を向上できる利点もある。すなわち、肘当てに下向きの荷重がかかると、内向き水平状部は、椅子の正面視において、先端部を支点にして下向きに回動する傾向を呈し、これに伴って、スペーサも、内側の上端縁を支点にして下向きに回動しようとするが（つまり、椅子の正面視で外側の縁が座受け部材から離反しようとするが）、請求項３では、位置決めピンと位置決め穴とが左右に並んでいるため、位置決めピンがスペーサの回動に対して高い抵抗として作用するのであり、これにより、肘掛け装置の固定強度を格段に向上できるのである。
【００２２】
従って、請求項３の発明では、肘掛け装置の取り付けの容易性を確保しつつ、固定強度を向上できる利点がある。また、請求項４の発明では、座に対する肘掛け装置の左右位置を調節できるため、例えば使用者の体格に応じて肘掛け装置の左右位置を変更することが可能になる。従って、ユーザーフレンドリーである。
【図面の簡単な説明】
【００２３】
【図１】実施形態に係る椅子の外観を示す図で、（Ａ）は前から見た全体の斜視図、（Ｂ）は平面図、（Ｃ）は後ろから見た斜視図である。
【図２】実施形態に係る椅子の外観を示す図で、（Ａ）は正面図、（Ｂ）は背面図、（Ｃ）は側面図、（Ｄ）は背もたれのみの正面図である。
【図３】椅子の分離斜視図である。
【図４】（Ａ）は背支持フレームの取り付け構造を示す分離斜視図、（Ｂ）は傾動ベースと固定ベースとの関係を示す分離斜視図である。
【図５】（Ａ）は座支持部材と傾動ベースとの関係を示す分離斜視図、（Ｂ）は傾動フレーム及び背支持フレームの動きを示す図である。
【図６】（Ａ）は座受け部材と座アウターシェルとの分離斜視図、（Ｂ）は座受け部材を装着した状態での座アウターシェルの斜視図である。
【図７】（Ａ）（Ｂ）とも、肘掛け装置を外した状態での下方からの斜視図である。
【図８】肘掛け装置をついた状態で椅子を後部下方から見た斜視図である。
【図９】肘掛け装置の取り付け構造を示す図で、（Ａ）は上から見た分離斜視図、（Ｂ）は取り付け後の斜視図である。
【図１０】肘掛け装置の取り付け構造を示す図で、（Ａ）は下から見た分離斜視図、（Ｂ）は取り付け後の正面図、（Ｃ）は肘支柱とスペーサとの側面図である。
【発明を実施するための形態】
【００２４】
次に、本願発明の実施形態を図面に基づいて説明する。本実施形態は，オフィス用に多用されている回転椅子に適用している。以下の説明で、方向を特定するため前後・左右の文言を使用するが、これは、椅子に普通に腰掛けた人から見た状態として定義している。正面視は、椅子の着座者と対向した姿勢である。
【００２５】
(1).椅子の概要
まず、図１〜４に基づいて椅子の概要を説明する。椅子の基本構成は従来と同様であり、図１に示すように、主要構成要素として脚装置１、座２、背もたれ３を備えている。また、オプション品として、肘掛け装置４とハンガー５とヘッドレスト６とを備えている。肘掛け装置４は左右一対で１セットであるが、図では片方しか表示していない。
【００２６】
脚装置１はガスシリンダより成る脚支柱７を有しており、脚支柱７は、放射状に広がる複数本の枝アーム８で支持されている。各枝アーム８の先端にはキャスタを設けている。図４に示すように、脚支柱７の上端には固定ベース９が取り付けられており、固定ベース９のうち脚支柱５よりも手前側の部位に、傾動ベース１０が左右横長の支軸１１によって連結されている。これら固定ベース９と傾動ベース１０とを主要部材として、座２と背もたれ３とが取り付くベース部を構成している。本実施形態では、請求項のベースは、固定ベース９と傾動ベース１０との両方を含んでいる。
【００２７】
図３に示すように、固定ベース９と傾動ベース１０とにより、座２が取り付く座受け部材１２が支持されており、また、傾動ベース１０に、背もたれ３が取り付く背支持フレーム１３を固定している。従って、背もたれ３は、傾動ベース１０と一緒にロッキングする。また、座受け部材１２は、傾動ベース９の後傾動に連動して後退及び後傾する。従って、座２は、背もたれ３の後傾動に連動して後退及び後傾する（シンクロする。）。肘掛け装置４は、座受け部材１２に固定されている。
【００２８】
図示していないが、固定ベース９の内部には、ロッキングに対して抵抗を付与するロッキングばねが配置されている。ロッキングばねの硬さは、例えば図２に示す弾力調節ハンドル１４の回転操作によって調節できる。弾力調節ハンドル１４は着座者から見て右側に配置しており、支軸１１と同時に配置されている。弾力調節ハンドル１４と反対側には、脚支柱５の伸縮を制御する高さ調節ハンドル１５が配置されている。高さ調節ハンドル１５も、支軸１１と同軸に配置されている。
【００２９】
図３に示すように、座２は、合成樹脂製の座インナーシェル１７に座クッション材１８を張った構造である。座クッション材１８の上面は、布地や合成皮革等の表皮材で覆われている。図３では、座インナーシェル１７と座クッション材１８とを分離して表示しているが、本実施形態では、両者はインサート成形によって一体化されている。
【００３０】
座２は、その下方に配置した座アウターシェル１９に取り付けられている。座アウターシェル１９は、座受け部材１２に固定された座メインアウターシェル２０と、座メインアウターシェル２０に前後スライド自在に装着された座フロントアウターシェル２１と、座メインアウターシェル２０の後ろに配置された座リアアウターシェル２２とで構成されている。従って、座２も、メイン部はフロント部とリア部との３つのパートが一体化した構造として観念できる。座リアアウターシェル２２は、左右横長のピンにより、座メインアウターシェル２０に上下回動自在に連結されている。
【００３１】
他方、座インナーシェル１７は、座メインアウターシェル２０に固定された座メインインナーシェル１７ａと、座メインインナーシェル１７ａの前端に一体に連続した座フロントインナーシェル１７ｂと、座メインインナーシェル１７ａの後端に一体に連続した座リアインナーシェル１７ｃとで構成されている。座フロントインナーシェル１７ｂは左右横長のスリットを有していて、下向きに巻き込み変形可能であり、座フロントウターシェル２１が後退すると下向きに巻き込まれ、これにより、座２の前後長さ（奥行き）が小さくなる。
【００３２】
座インナーシェル１７の座リアインナーシェル１７ｃは、その前端を中心にして上下回動するように座メインインナーシェル１７ａに連続している。そして、座リアインナーシェル１７ｃの後端は、背もたれ３の下端に左右横長のピンによって連結されている。このため、背もたれ３がロッキングすると、座２は全体的に後退及び後傾しつつ、座リアインナーシェル１７ｃは、座メインインナーシェル１７ａに対して、相対的に後傾する。
【００３３】
背もたれ３は、樹脂製の背アウターシェル２３の前面に背クッション材２４を配置した構造であり、背クッション材２４の前面は表皮材で負われている。本実施形態では、背アウターシェル２３と背クッション材２４とは複数のエレメントに区分されていて、隣り合ったエレメントが相対回動し得るが、本願発明との関係ないので説明は省略する。
【００３４】
背支持フレーム１３には、背もたれ３の後ろにおいて上向きに延びる背支柱１３ａが一体に設けられており、背支柱１３ａの上端部が、背アウターシェル２３の上下中途部に左右横長のピンで連結されている。従って、背もたれ３と背支柱１３ａとは相対回動する。また、背アウターシェル２３の下端は、座リアアウターシェル２２の後端に左右横長のピンで連結されている。
【００３５】
(2).ベース部
次に、図５以下の図面も参照して、ベース部を説明する。既述のとおり、ベース部は固定ベース９と傾動ベース１０とを主要部材としている。このうち固定ベース９は、図４（Ｂ）から理解できるように、ダイキャスト品又は鋳造品であり、左右の側板９ａと底部とを有する上向き開口の浅い箱状に形成されている。後部に設けた上下開口の筒状ボス部２７に、脚支柱７の上端が下方から嵌着している。固定ベース９の前部は、手前に向けて高くなるように側面視で傾斜している。
【００３６】
他方、図４（Ｂ）に示すように、傾動ベース１０は、左右側板１０ａと後面板１０ｂとを有して上下に開口しており、後面板１０ｂには、上向きに開口した背支持部２８が固定されている。背支持部２８は左右の側板を有する上向き開口の樋状に形成されており、その内部に背支持フレーム１３の前端部が嵌め入れられている。図４（Ａ）のとおり、背支持フレーム１３は、背支持部２８に複数本のボルト２９で固定されている。
【００３７】
傾動ベース１０は金属板製であり、その側板１０ａが固定ベース９の側板９ａの外側に位置するようにして配置されている。すなわち、傾動ベース１０は、固定ベース９に外側から被さっている。そして、図４に示すように、傾動ベース１０の側板１０ａの前端寄り部位が、支軸１１によって固定ベース９に連結されている。
【００３８】
図４に示すように、傾動ベース１０の左右側板１０ａの前部上端は、左右横長のフロントジョイント３０によって連結されている。フロントジョイント３０の下方には、前部固定ばね受け３１が配置されている。この前部固定ばね受け３１は、支軸１１によって固定ベース９と傾動ベース１０とに連結されている。ばねの支持構造は本願発明とは直接の関連がないので、省略する。
【００３９】
例えば図４，５に示すように、固定ベース９の前端部には、固定ベース９の上方に延びるフロントリンク３２が、左右横長の第１軸３３によって連結されている。従って、フロントリンク３２は、その下端部を中心にして前後方向に回動し得る。そして、フロントリンク３２の上端に、座受け部材１２の前部が左右横長の第２軸３４によって連結されている。
【００４０】
図５（Ａ）や図９，１０に示すように、座受け部材１２は、前後長手の左右縦長フレーム３５を有している。左右縦長フレーム３５は、上端に上フランジ３５ａを形成した逆Ｌ形の板金加工品であり、左右の上フランジ３５ａに、左右横長のフロントステー３６とリアステー３７とを溶接で固着している。従って、座受け部材１２は上下に開口した枠構造になっている。フロントステー３６及びリアステー３７は、縦長フレーム３５の左右外側にはみ出ている。
【００４１】
そして、左右縦長フレーム３５の前部がフロントリンク３２の上端に第２軸３４で連結されて、左右縦長フレーム３５の後部が、傾動ベース１０の後端部に左右横長の第３軸３８で連結されている。従って、傾動ベース１０が後傾すると、座受け部材１２は後端しつつ後傾する。但し、座受け部材１２の後傾角度は傾動ベース１０の後傾角度よりは小さい。
【００４２】
リアステー３７は平板構造であるが、フロントステー３６は下向き開口の樋状の形態を成している。また、フロントステー３６には、縦長フレーム３５の上フランジ３５ａと略同じ高さの段落ち部３６ａを形成している。他方、縦長フレーム３５のうちリアステー３７を固定している部分は下向きの凹所３９になっている。このため、リアステー３７の上面と上フランジ３５ａとが略同じ高さになっている。
【００４３】
(3).肘掛け装置及びその取り付け構造
リアステー３７には肘掛け装置が固定されるため、板厚は縦長フレーム３５やフロントステー３６よりも厚くなっている。肘掛け装置４はこのリアステー３７に固定されている。この点を、主として図９，１０に基づいて説明する。
【００４４】
本実施形態の肘掛け装置４は高さ調節自在であり、図２に表示しているように、肘掛け装置４は、上下長手の肘支柱４０と、肘支柱４０に昇降自在に装着した昇降体４１と、昇降体４１の上端に設けた前後長手の肘当て４２とを有している。なお、肘支柱４０は少し前傾している。
【００４５】
昇降体４１は筒状の形態であり、肘支柱４０に外側から嵌まっている。昇降体４１の上部の内側面には、高さ調節に際してロックを解除するボタン２４５を設けている。肘当て４２は昇降体４１に固定されていてもよい。或いは、前後スライドするとことと、左右スライドすること、及び水平旋回（回動）することとのうち、１つ又は複数の動きを行うように取り付けることができる。また、肘掛け装置４は可動式でなくて、高さを変更できない一体構造品を採用することも可能である。
【００４６】
肘支柱４０は、例えば樹脂成形品又はアルミダイキャスト品であり、ベース部に向かう内向き水平状部（或いは内向き部）４３が一体に形成されている。また、肘支柱４０は、起立部も内向き水平状部４３も略偏平な断面になっている。
【００４７】
他方、座受け部材１２を構成するリアステー３７には、ベース９，１０の左右外側にはみ出したサイド支持部３７ａを設けており、肘支柱４０における内向き水平状部４３の先端部４３ａは、ブロック状のスペーサ４５を介してビス（ボルト）４６でサイド支持部３７ａの下面に固定されている。従って、サイド支持部３７ａが肘掛け装置取り付け部になっており、ビス４６がねじ込まれる前後２のねじ穴４７を空けている。座受け部材１２のサイド支持部３７ａは、スペーサ４５と略同じ前後幅の平面視角形形状であり、従って、肘支柱４０の内向き水平状部４３とも同じ程度の前後幅になっている。
【００４８】
ビス４６は、前後に２本配置されている。ビス４６を左右に２本配置することも可能であるが、この場合は、スペーサ４５の左右横幅が大きくなって、コンパクト性に欠けるおそれがある。これに対して実施形態では、ビス４６は前後に配置されているため、スペーサ４５の左右横幅も小さくできる。その結果、スペーサ４５の周辺部もコンパクト化することができる。
【００４９】
図１０（Ｃ）に示すように、肘支柱４０の内向き水平状部４３は、手前が低くて後ろが高くなるように側面視で傾斜している。他方、リアステー３７は側面視で水平姿勢になっている。このため、スペーサ４５は、手前が厚くて後ろが薄くなるように、側面視で台形状の形態になっている。
【００５０】
また、図１０（Ａ）に示すように、スペーサ４５の下面に前後一対の下部位置決め突起４８ａが下向きに突設されている一方、図９（Ａ）に示すように、内向き水平状部４３には、下部位置決め突起４８ａが嵌まる前後一対の係合溝４８ｂを形成している。この場合、内向き水平状部４３には、係合溝４８ｂは左右一対ずつ形成しており、また、ビス挿通穴４９も左右一対ずつ形成している。このため、肘掛け装置４の取り付け位置を左右にずらすことができる。図１０（Ａ）に示すように、下部位置決め突起４７はスペーサ４５の側に寄せて設けているが、左右中間部に設けてもよい。
【００５１】
スペーサ４５の上面には、左右一対の上部位置決め突起５０が上向きに突設されている。これに対応して、リアステー３７のサイド支持部３７ａには、上部位置決め突起５０が嵌まる位置決め穴５１を空けている。肘支柱４０に作用した下向きのモーメントは、スペーサ４５に対して、正面視において、ベース９，１０に近い縁部を中心にして下向きに回転させるような力として作用するので、実施形態のように左右に離して上部位置決め突起５０を設けると、内向き水平状部４３に作用したモーメントに対して、上部位置決め突起５０が位置決め穴５１に対して強い抵抗として作用するため、ビス４６を前後に配置した場合であっても、高い締結強度を確保できる。
【００５２】
また、肘支柱４０は前傾しているため、肘当て４２に作用した下向きの力により、肘支柱４０には前に倒す外力が作用し、すると、肘支柱４０には、側面視で回転させるような（或いはねじるような）外力が作用する。しかして、実施形態のように、前後に下部位置決め突起４７を設けると、肘支柱４０が軸心回りに回転することに対して、前後の下部位置決め突起４７が抵抗として作用する。この面でも、高い締結強度を確保できる。
【００５３】
(4).スペーサと座アウターシェルとの関係
図８に明示するように、座メインアウターシェル２０の左右両側部には、概ね前後全長にわたって下向き突部５３を形成している。この下向き突部５３は座フロントアウターシェル２１を前後動可能にガイドするためのものであり、座フロントアウターシェル２１の左右両側部に設けたガイド部が上から嵌まっている。
【００５４】
そして、例えば図７から理解できるように、ベース９，１０は座メインアウターシェル２０の左右下向き突部５３の間に配置されており、従って、座受け部材１２も、基本的には、座メインアウターシェル２０の左右下向き突部５３の間の空間に嵌まり込んでおり、図６（Ａ）に符号５４で示す線から理解できるように、座メインアウターシェル２０は４本のビスで座受け部材１２に固定されている。
【００５５】
しかし、座受け部材１２のリアステー３７に設けた左右のサイド支持部３７ａはベース９，１０の外側にはみ出ているので、座メインアウターシェル２０の下向き突部５３には、サイド支持部３７ａが入り込む凹部５５を形成している。従って、サイド支持部３７ａは、座メインアウターシェル２０の下向き突部５３によって前後から囲われている。
【００５６】
図８に示すように、座メインアウターシェル２０の下向き突部５３の下面とスペーサ４５の下面とはほぼ同じ高さになっている。このため、スペーサ４５が座メインアウターシェル２０の一部であるかのように見えて、美観に優れている。図７（Ｂ）に示すように、肘掛け装置４を取り付けない場合は、座メインアウターシェル２０の凹部５５はキャップ５６で塞がれている。
【００５７】
なお、凹部５５に外壁を設けて、外壁でスペーサ４５を外から覆うことも可能である。この場合は、下向き突部５３は凹部５５で分断されずに前後に一連の形態になるため、美観は一層優れたものになる。そして、スペーサ４５は下向き突部５３の下方に露出させうるため、内向き水平状部４３の取り付けを阻害することはない。
【００５８】
図６に明示するように、座メインアウターシェル２０の下向き突部５３には、凹部５３の手前に位置した側面視半円状の逃がし溝５７が形成されている。この逃がし溝５７は、図８から理解できるように、ハンドル１４，１５の回転操作の邪魔にならないようにするためのものである。また、座受け部材１２のフロントステー３６も縦長フレーム３５の外側にはみ出ているが、図６に示すように、座メインアウターシェル２０の下向き突部５３には、フロントステー３６を逃がすための切り欠き部５８を形成している。
【００５９】
上記の実施形態では、サイド支持部を３７ａはリアステー３７を単に横向きに延長させた状態になっており、このためスペーサ４５を使用したが、図１０（Ｂ）に一点鎖線で示すように、サイド支持部３７ａをベース９の外側に段落ちさせた状態に形成して、このサイド支持部３７ａに内向き水平状部４３ａを直接取り付けることも可能である。
【００６０】
なお、図では、サイド支持部３７ａと内向き水平状部４３ａとの間に若干の間隔が開いた状態に描いているが、これは、線を明瞭に表示するための便宜的な措置であり、実際には、サイド支持部３７ａは通常の高さ位置の内向き水平状部４３ａが下方から重なる高さになっている。
【００６１】
サイド支持部３７ａを段落ち構造にする場合、側面視での姿勢は、内向き水平状部４３ａの上面の側面視形状に合わせたらよい。従って、側面視水平姿勢であることには限らず、側面視で前向に傾斜した姿勢や後ろに傾斜した姿勢、或いは、山形の姿勢などがあり得る。ビスはサイド支持部３７ａは、リアステー３７等の部材に曲げ形成してもよいし、別部材で製造してから溶接で固定してもよい。
【００６２】
(5).その他
上記の実施形態では、座受け部材１２は左右の縦長フレーム３５と前後ステー３６，３７とからなる枠状に構成したが、平板状の構造であってもよい。また、板金加工品に代えて、樹脂の成形品や金属ダイキャスト品なども使用できる。サイド支持部は前後方向に長く延びる状態であってもよい。
【００６３】
高さ調節式でない肘掛け装置の場合、前後２本の肘支柱を有することがあるが、この場合、前後の肘支柱に形成された内向き水平状部を、スペーサを介して座受け部材のサイド支持部に固定したらよい。この場合は、スペーサは前後に分離していてもよいし、１つのスペーサを前後の肘支柱の取り付けに共用してもよい。
【００６４】
また、本願発明は、ロッキング時に座が背もたれにシンクロしない椅子にも適用できる。従って、ベース部が固定ベースのみで構成されている場合にも適用できる。
【産業上の利用可能性】
【００６５】
本願発明は、実際に椅子に具体化できる。従って、産業上利用できる。
【符号の説明】
【００６６】
１  脚装置
２  座
３  背もたれ
４  肘掛け装置
７  脚支柱
８  固定ベース
９  傾動ベース
１１  支軸
１２  座受け部材
１９  椅子の座アウターシェル
２０  座メインアウターシェル
３５  座受け部材の縦長フレーム
３６  座受け部材のフロントステー
３７  座受け部材のリアステー
３７ａ  サイド支持部（肘掛け装置取り付け部）
４０  肘支柱
４１  昇降体
４２  肘当て
４３  内向き水平状部
４５  スペーサ
４６  ビス
４７  ねじ穴
４８ａ  下部位置決め突起
４８ｂ  下部位置決め溝
５０  上部位置決め突起
５１  位置決め穴
５３  座メインアウターシェルの下向き突部
５５  凹部
【図１】
2017086370.tif 000003
【図２】
2017086370.tif 000004
【図３】
2017086370.tif 000005
【図４】
2017086370.tif 000006
【図５】
2017086370.tif 000007
【図６】
2017086370.tif 000008
【図７】
2017086370.tif 000009
【図８】
2017086370.tif 000010
【図９】
2017086370.tif 000011
【図１０】
2017086370.tif 000012